(57)【特許請求の範囲】
【請求項１】
運転可能な道に沿って異なる位置に配置されるマスターユニットと、少なくとも１つのスレイブユニットとを備え、
前記マスターユニットは、運搬車両の少なくとも１つのタイヤの、圧力のような少なくとも１つのパラメータの測定値を搬送する無線信号を受信する第１受信機を含み、
前記スレイブユニットは、前記無線信号を受信するための第２受信機を含み、
前記マスターユニットと前記少なくとも１つのスレイブユニットとは、ローカル通信回線によって相互に接続され、
前記マスターユニットは、前記無線信号を処理するための電子ユニットと、前記電子ユニットの活性化のための車両通過検出器とをさらに含み、
前記マスターユニットに含まれる各電子部品のうち前記車両通過検出器以外の電子部品は、通常時においてスリープ状態または低消費電力状態にあり、前記車両通過検出器によって生成される内部活性化信号によって活性化され、
前記車両通過検出器は、磁力計であり、
前記マスターユニットは、前記内部活性化信号によって前記車両通過検出器以外の電子部品が活性化されたときに外部活性化信号を生成し、当該外部活性化信号を前記少なくとも１つのスレイブユニットに送信するように構成されており、
前記少なくとも１つのスレイブユニットに含まれる各電子部品のうち、前記ローカル通信回線に接続される通信部以外の電子部品は、スリープ状態または低消費電力状態にあり、前記通信部によって受信された前記外部活性化信号によって活性化される、アセンブリ。
【請求項２】
前記無線信号は、測定値に相当するワードがＰＰＭ変調されたパルス状の無線信号である、請求項１に記載のアセンブリ。
【請求項３】
前記電子ユニットは、少なくとも１つのスレイブユニットに接続するために、前記少なくとも１つのスレイブユニットから運搬車両のタイヤのパラメータの追加の測定値を受信するように適合された少なくとも１つの通信ポートを含む、請求項１または２に記載のアセンブリ。
【請求項４】
前記電子ユニットは、前記無線信号によって、および／または前記少なくとも１つの通信ポートを介して受信した前記測定値についての情報をリモート処理ユニットに送信するように適合された通信モジュールを含む、または当該通信モジュールに接続される、請求項３に記載のアセンブリ。
【請求項５】
前記通信モジュールは、携帯電話ネットワークについての通信モジュールである、請求項４に記載のアセンブリ。
【請求項６】
前記ローカル通信回線は、無線回線であり、ＩＳＭバンドまたはＳＲＤシステムの周波数で動作する、請求項１に記載のアセンブリ。
【請求項７】
前記マスターユニットと、前記少なくとも１つのスレイブユニットとは、前記運転可能な道に相互に向かい合って配置される、請求項１〜６のいずれか１項に記載のアセンブリ。
【請求項８】
前記マスターユニットおよび前記少なくとも１つのスレイブユニットは、各電子部品をスリープ状態または低消費電力状態に戻すように構成されている、請求項１〜７のいずれか１項に記載のアセンブリ。
【請求項９】
前記マスターユニットは、前記車両通過検出器によって、予め設定された第１の時間間隔の終わりに、他の通過車両が存在するか否かを検証し、他の通過車両が存在する場合に、追加の外部活性化信号を生成するように構成されている、請求項１〜８のいずれか１項に記載のアセンブリ。
【請求項１０】
前記少なくとも１つのスレイブユニットの各々は、前記ローカル通信回線を介して、前記第２受信機から受信した前記無線信号によって搬送された測定値を前記マスターユニットに送信する、請求項１〜９のいずれか１項に記載のアセンブリ。
【請求項１１】
前記外部活性化信号は、データコレクションメッセージを含み、前記少なくとも１つのスレイブユニットは、前記データコレクションメッセージの受信に続いて、前記マスターユニットに前記測定値を送信するように構成される、請求項１０に記載のアセンブリ。
【請求項１２】
前記マスターユニットの前記電子ユニットは、前記通信モジュールを介して、前記マスターユニットによって受信された前記無線信号の測定値と、前記ローカル通信回線を介して前記マスターユニットによって受信された、前記少なくとも１つのスレイブユニットの測定値とを、前記リモート処理ユニットに送信するように構成される、請求項４または５に記載のアセンブリ。
【請求項１３】
前記マスターユニットの前記電子ユニットは、前記マスターユニットによって受信された無線信号の測定値についての少なくとも１つのしきい値と、前記ローカル通信回線を介して前記マスターユニットによって受信された、前記少なくとも１つのスレイブユニットの測定値との比較を行い、前記比較により否定的な結果が得られるとすぐに、前記通信モジュールを介して前記リモート処理ユニットに前記測定値を送信するように構成される、請求項４，５，１２のいずれか１項に記載のアセンブリ。
【発明の詳細な説明】
【技術分野】
【０００１】
本発明は、運送車両、特に重い車両に固定された自動的にタイヤパラメータを検出するための装置とアセンブリに関する。
【背景技術】
【０００２】
発明の背景
貨物輸送の分野において、正確な車両メンテナンスは、突然の予期せぬ故障に遭遇する可能性を最小化するために最もよい戦略であり、突然の予期せぬ故障は、時間と、多くの場合相当のコスト（特に、それらが業務（たとえば、貨物運搬用）で使用される場合生じた故障を修理するためのコストおよび、車両自体の一時的な不活性により生じる）の損失を引き起こし得る。同様に、車両が移動中に経験する場合がある故障によって引き起こされる交通事故の可能性のある危険も考慮されなければならない。
【０００３】
全ての種類の路上車両が遭遇する可能性のある技術的な不具合を防ぐことによって、それらに関連する経済的な不具合および路上の安全問題を避けるためには、使用中の車両の機械部品の綿密且つ定期的なメンテナンスを行うことが不可欠であり、車両の機械部品、特にタイヤのような部品は、必ず完全な効率の状態で作動しなければならないが、そのメンテナンスはしばしば無視される。そのようなメンテナンスは主として２ステップ：タイヤ圧力の測定と任意の調整、およびトレッドの厚みおよび一般的な条件の評価を規定し、タイヤの最適な圧力は、車両の重量およびタイヤの使用状態に基づいて定義される。
【０００４】
残念なことに、多くの車両は、持ち主の怠慢、もしくは持ち主の時間および／またはお金の欠如によって、しばしばこの主の定期的なタイヤ検査の対象外である。もし、習慣的に車両を使用する人が運転中に特定のグリップ問題に気づかなかったら、その人はあらゆるメンテナンス介在の必要性を見出すことはないだろう。それどころか、もし習慣的に車両を使用する人が運転中にタイヤに起因する困難性に気づいたとしても、一般的なメンテナンス介在を行うには遅すぎる可能性が非常に高い。それは、不十分なタイヤ圧力によって引き起こされるトレッドの過度な、または不規則な摩耗は、タイヤの交換が必要な状況を引き起こすかもしれないためである。
【発明の概要】
【発明が解決しようとする課題】
【０００５】
近年、テレメトリーの発達に伴い、自動測定および／または車両パラメータ、特にタイヤに関連付けられたパラメータ（例えば、圧力）の分析のためのシステムが発達している。しかしながら、これらのシステムは、そのようなパラメータの監視を可能にすることを保証するために、当該システムに含まれる電子部品への連続的な電力供給に従う高消費電力を要求するので、車両操作者によって定期的に使用されない。しかしながら、その消費電力は、そのシステムによって行われる多数の測定／分析動作には繋がらない。なぜならば、通常時の前記システムは、活性状態における時間のほとんどを、予め検査対象に設定された車両が接近するまで待機することに費やすためである。
【０００６】
さらに、既知のシステムの多くは孤立しており、もっぱらローカルでのデータ処理を行う。これは、ユーザーから、たとえば、貨物搬送の分野に積極的な企業に属する全ての車両（軽トラクタ、重トラクタ、トラック、トレーラ、セミトレーラ、バンのような）に関連する、情報のより広いセットをあらゆる方法で集められる可能性を奪う。
【０００７】
本発明の目的は、上に示された態様の１つ以上の背景技術を改善することができる装置およびアセンブリを提供することである。
【０００８】
この目的には、低消費電力を維持されている間に、運搬車両のタイヤに関連したパラメータを自動的に検出する装置およびアセンブリを提供する目標も含まれる。
【０００９】
さらに、本発明の目標は、実際に必要な場合のみ車両のタイヤのメンテナンス介在を可能にする装置およびアセンブリを得ることである。
【００１０】
本発明の他の目標は、より高い信頼性を有し、比較的供給しやすく、かつ、競争力のあるコストを有する装置およびアセンブリを供給することである。
【課題を解決するための手段】
【００１１】
この目的、並びに、以下に明白に示されるこれらおよび他の目標は、車両の少なくとも１つのタイヤについての、少なくとも１つのパラメータ（たとえば、圧力）の測定値を搬送する無線信号を処理する電子ユニットを含む、運搬車両のタイヤパラメータを検出するための装置によって達成される。この装置は、無線信号を処理する前記電子ユニットの活性化のための車両通過を検出する検出器をさらに備えるという点で特徴づけられる。
【００１２】
この目的およびこれらの目標は、運搬車両のタイヤパラメータを検出するためのアセンブリによって達成される。このアセンブリは、運転可能な道に沿って異なる位置に配置される、前記検出装置を含むマスターユニットと、前記無線信号を受信するための各ユニットを含む少なくとも１つのスレイブユニットとを備え、前記マスターユニットと前記少なくとも１つのスレイブユニットは、ローカル通信回線によって相互に接続される。
【００１３】
本発明のさらに他の特徴および利点は、添付図面の中で非限定例として説明される、本発明に従う装置およびアセンブリの非排他的で好適な実施形態の説明から明らかになるであろう。
【図面の簡単な説明】
【００１４】
【図１】本発明に従う運搬車両のタイヤに関連付けられたパラメータを検出するためのアセンブリの構成と関係するブロック図である。
【図２】本発明の適用可能性を説明する概略上面図である。
【図３】本発明に従う検出装置の電子部品の好適な実施形態のブロック図である。
【図４】本発明に従うスレイブユニットの電子部品の好適な実施形態のブロック図である。
【発明を実施するための形態】
【００１５】
図に関して、参照番号１に概して示される、運搬車両のタイヤパラメータを検出するためのアセンブリは、マスターユニット１２と、必要に応じて、当該マスターユニット１２とローカル通信回線１６（好ましくは、ＩＳＡＭ（Industrial  Scientific  And  Medical）バンド中の周波数、またはＳＲＤ（Short  Range  Device）システムのための周波数（たとえば、８６８ＭＨｚ）で動作する無線通信回線）を介して通信する１以上の対応するスレイブユニット１１とを含む。
【００１６】
マスターユニット１２と複数のスレイブユニット１１は、運転可能な道２２に向かい合って、横に配置される。アセンブリ１のユニットの総数は、１〜１６まで変えることができる。
【００１７】
マスターユニット１２は、たとえば、タレットのような閉じられた筐体内部に、運搬車両のタイヤパラメータを検出するための装置を備える。この装置は、無線信号を扱うための電子ユニット３１を含む。無線信号は、運搬車両２１の少なくとも１つのタイヤ２３，２４の少なくとも１つのパラメータの測定値を搬送する。
【００１８】
本発明の好適な実施形態において、検出されるパラメータは、運搬車両のタイヤ２３，２４の各々の圧力である。
【００１９】
この測定は、タイヤ２３，２４の各々の圧力検出器（測定した圧力データのための無線送信機（特に、あらゆる種類のＴＰＭＳ（Tire  Pressure  Monitoring  System）送信器）に接続される、または関連付けられる）を有する車両２１に既知の方法を適用することで可能になる。ＴＰＭＳ送信器（図示されない）は、参照により本明細書に含まれる欧州特許出願ＥＰ−Ａ１７８７８３１に記述されているように、たとえば、タイヤの内部表面、またはタイヤ膨張バルブに固定することができる剛性コネクタに固定されるシングルパッチ内の圧力検出器と一緒に統合され得る。
【００２０】
ＴＰＭＳ送信器は、識別コードを有しており、車両操作者（たとえば、運搬会社）のリモート処理ユニット１５に、既知の方法で特定の車両２１の特定のタイヤ２３，２４とユニークに関連付けられる。
【００２１】
各スレイブユニット１１は、少なくとも１つのタイヤの少なくとも１つのパラメータの測定値を搬送する前記無線信号を受信するための各々のユニット４１を備える。
【００２２】
マスターユニット１２の特殊性は、それに接続している周辺装置またはモジュールとともに、スリープ／待機または低消費電力状態から活性化状態に移行するための内部活性化信号を生成することができる車両通過のための検出器を含むことである。内部活性化信号は、タイヤ圧力の測定値を含む無線信号の扱いを活性化するために用いられ、特に、無線信号を処理するための電子ユニット３１にアクセスする。
【００２３】
複数のタイヤの圧力および／または他のパラメータの測定値を搬送するこれらの無線信号は、既知の種類そのものであって、一例として、パルス変調信号である。
【００２４】
好ましくは、測定値に関する情報の伝達は、測定値に相当するワード（たとえば、測定値の符号化に相当するビットのシーケンス）のＰＰＭ（Pulse  Position  Modulation）変調による既知の方法によって得られる。一例として、前記変調は、参照により本明細書に含まれる欧州特許出願ＥＰ−Ａ１７８７８３１に記述されているように、搬送ＲＦ周波数（好ましくは、４３４ＭＨｚのようなＩＡＳＭ周波数）による変調に従う。
【００２５】
車両通過検出器は、磁力計３５を有する点で有利である。磁力計３５そのものは、大きな金属重量体が接近することの存在、すなわち、全ての種類の路上車両を検出可能である。磁力計３５は、肯定的な結果の場合に、マスターユニット１２に活性化信号を生成する。
【００２６】
磁力計３５の使用により、マスターユニット１２において無線信号の処理を活性化するという唯一の目的を有する車両２１装置を車内に設置する必要性は完全に回避される。
【００２７】
より一般的には、既知の金属検出器、または地磁界の変動検出器を、車両通過検出器として用いることができる。
【００２８】
マスターユニット１２は、図３に示されるような、いくつかの電子部品を備える。これらの電子部品は、通常時において、スリープ／待機または低消費電力状態であって、その代わりに常に活性化状態にある磁力計３５、または、より一般的には、車両通過検出器によって生成される内部活性化信号によって活性化され得る。
【００２９】
マスターユニットの電子部品は、タイヤ２３，２４の圧力または他のパラメータの測定値を搬送する無線信号を処理する電子ユニット３１を含む。前記電子ユニットは、マスターユニット１２で受信した無線信号から抽出された情報を適切に処理するようにプログラムされた少なくとも１つのマイクロプロセッサによって、ローカル通信回線１６または遠隔から送信されるメッセージまたは信号を準備するため、および制御部３０に接続されたモジュールを管理するために制御部３０の内部に得られる。
【００３０】
これらのモジュールは、無線信号受信機３２、データネットワークアンテナ３３、携帯電話ネットワークに接続するための通信モジュール３４、磁力計３５、および任意のＢｌｕｅｔｏｏｔｈ（登録商標）モジュール３６になり得る。
【００３１】
磁力計３５（スカラーまたはベクトルタイプであり得る）は制御部３０を活性化し、それに接続された（上記に挙げた）モジュールを活性化し、活性化状態を維持する。好ましくは、無線信号受信機３２は、ＴＰＭＳ（Tire  Pressure  Monitoring  System）受信機であって、特にパルス無線信号（たとえば、上記説明したＰＰＭ変調によるパルス）を受信することに割り当てられ、処理部３１への、各々のタイヤに対応するＴＰＭＳ送信器を設けられた運搬車両のタイヤパラメータの測定の入力の受信を可能にさせる。
【００３２】
無線信号受信機３２そのものは、既知の種類そのものであって、たとえば、参照により本明細書に含まれる国際特許出願ＰＣＴ  ＷＯ２０１２ｓｕｒａｓｓｈｕ１５０５６５  Ａ２に記述されている１つであり得る。
【００３３】
マスターユニット１２とスレイブユニット１１との間のローカル通信回線１６が無線タイプであった場合、データネットワークアンテナ３３が設けられる。そのようなアンテナ３３は、一例として、ＩＳＭバンドの周波数またはＳＲＤシステム（たとえば、８６８ＭＨｚ）のために調整され、制御部３０の通信ポート３３ａに接続され、制御部３０がスレイブユニット１１とやり取りする信号（たとえば、下記に記されるスレイブユニット１１のための外部活性化信号、またはスレイブユニット１１から抽出されるタイヤ２３，２４の追加の圧力の測定値または他のパラメータのデータを添付したメッセージを搬送する信号）を送受信し得る。
【００３４】
任意のＢｌｕｅｔｏｏｔｈ（登録商標）モジュール３６は、マスターユニット１２の制御部３０と、マスターユニット１２および／またはローカル通信回線１６に適合する外部コンピュータとの接続を行うとともに、当該接続が正しい操作であるかを確かめる。
【００３５】
携帯電話ネットワーク１３と接続するための通信モジュール３４は、既知の種類そのものであって、前記リモート処理ユニット１５に、ＰＰＭ無線信号および／または通信ポート３３ａを介して受信する測定値、またはアラーム信号を送信するために、モバイルネットワーク１３にアクセス可能であって、かつ、適切なゲートウェイおよびインターネット１４によって前記リモート処理ユニット１５と任意に接続可能なＧＳＭ（登録商標）／ＧＰＲＳ、またはＵＭＴＳトランシーバーであり得る。
【００３６】
説明したように、制御部３０は、ローカル通信回線１６で送信されるメッセージまたは信号を準備して、それらを対応する通信ポート３３ａに送るようにプログラムされる。
【００３７】
特に、これらのメッセージまたは信号の中には、磁力計３５が車両２１の通過を検出するとともに、それに応じて、内部活性化信号によってマスターユニット１２の電子部品を活性化したときに制御部３０によって生成される外部活性化信号が存在する。
【００３８】
外部活性化信号は生成され、マスターユニット１２によってアンテナ３３を用いてローカル通信回線１６を介してスレイブユニット１１に送信される。
【００３９】
スレイブユニット１１はそれぞれ、各電子部品をスリープ／待機または低消費電力状態に維持し、前記外部活性化信号の受信に応じてそれらを活性化させる。外部活性化信号は、スレイブユニット１１のローカル通信回線１６に向かう各通信ポート上のリスニング設定を維持する。スレイブユニット１１のこれら電子部品は、運搬車両２１の少なくとも１つのタイヤ２３，２４についての、少なくとも１つのパラメータの測定値を搬送する無線信号を受信するためのユニット４１を含む。この受信ユニット４１は、スレイブユニット１１で受信した無線信号から抽出された情報を適切に処理するようにプログラムされた少なくとも１つのマイクロプロセッサによって、ローカル通信回線１６によってマスターユニット１２に送信されるメッセージを準備するため、および制御部４０に接続されたモジュールを管理するために制御部４０の内部に得られる。制御部４０は、無線信号受信機４２と、データネットワークアンテナ４３（たとえば、ＩＳＭバンドの周波数またはＳＲＤシステム（たとえば、８６８ＭＨｚ）のために調整される）とを含む。
【００４０】
特に、受信機４２は、マスターユニット１２で使用される受信機３２と同じであって、車両のタイヤにあるＴＰＭＳ送信器によって送信されるパルス無線信号（たとえば、上記説明したＰＰＭ変調によるパルス）の受信に適合するＴＰＭＳ受信機であって、制御部４０への、各々のタイヤにＴＰＭＳ送信器を設けられた運搬車両のタイヤ２３，２４の圧力の測定値の入力の受信を可能にさせる。車両の全てのタイヤのＴＰＭＳ送信器によって送信された無線信号は、マスターユニット１２によってのみ受信され処理され得る。
【００４１】
しかしながら、受信する測定値の分解能を向上させるためには、各々がローカル通信回線１６によって測定値の受信、処理、およびマスターユニット１２への送信が可能な１以上の前記スレイブユニット１１が使用されることが好ましい。
【００４２】
図示された実施形態の動作は以下のとおりである。
マスターユニット１２の制御部３０、および任意のスレイブユニット１１の制御部４０は、通常、スリープ、低消費電力、または待機状態であって、それに接続される全てのモジュールまたは周辺装置（活性状態を維持する磁力計３５およびアンテナ４３を除く）をオフ状態に維持する。車両２１がユニット１１および１２が配置される運転可能な道２２に、好ましくは、１０または１５ｋｍ／ｈを超えない速度で、接近すると、マスターユニット１２の磁力計３５がそれを検出し、制御部３０に送信する内部活性化信号を生成し、スリープ／待機または低消費電力状態から活性化状態に移行する。
【００４３】
マスターユニット１２の制御部３０は、ＴＰＭＳレシーバー３２、通信ポート３３ａ、およびアンテナ３３を順番に活性化し、スリープ／待機または低消費電力状態にあるスレイブユニット１１の電子部品を活性化させるために、ローカル通信回線１６を介して、当該通信回線に接続される全てのスレイブユニット１１に外部活性化信号を送信する。
【００４４】
前記外部活性化信号は、ＴＰＭＳ受信機４２の活性化の後に検出した測定値をスレイブユニット１１がマスターユニット１２に送信することに対応して、スレイブユニット１１のためのデータコレクションメッセージを含み得る。
【００４５】
前記メッセージは、いかなる場合においても、ローカル通信回線１６を介してマスターユニット１２によって送信された、別々の信号に続いて送信され得る。ＴＰＭＳ受信機３２および４２は、車両２１のタイヤ２３，２４にあるＴＰＭＳ送信器によって送信された無線信号を復調し、復調したデータを制御部３０および４０にそれぞれ送信する。
【００４６】
これら復調されたデータ（ビットのシーケンスの形態）は、受信した圧力測定値、および当該データを送信したＴＰＭＳ送信器の識別子（車両２１の各タイヤにユニークに関連付けられる）に対応する。
【００４７】
スレイブユニット１１の存在、および運転可能な道２２に向かい合うスレイブユニット１１とマスターユニット１２の位置は、ＴＰＭＳ受信機によって受信される測定値の分解能および正確性を向上させる。第１の時間間隔（たとえば、３０秒）で測定値が検出されると、スレイブユニット１１は、検出された測定値を含むそれぞれのメッセージを、ＴＰＭＳ送信器が生成した当該ＴＰＭＳ送信器の識別子とともにローカル通信回線１６を介してマスターユニット１２に送信する。当該送信または第１の時間間隔が経過後、アンテナ４３を除くスレイブユニット１１の全ての電子部品はスリープ、低消費電力、または待機状態に戻る。
【００４８】
任意に、磁力計３５が第１の時間間隔の終わりに追加の通過車両の存在を検出した場合、マスターユニット１２は、第１の時間間隔に等しい他の期間においてスレイブユニット１１の活性化状態を維持するために、ローカル通信回線１６を介して追加の外部活性化信号をスレイブユニット１１に送信する。
【００４９】
スレイブユニット１１で得られた測定値は、マスターユニット１２の処理部３１においてそれぞれのメッセージから抽出され、自身のＴＰＭＳ受信機３２を介してマスターユニット１２から受信した測定値とともに処理される。処理部３１は、得られた測定値をＴＰＭＳ送信器の発信で割って、任意に、不要な測定値を除去することによって、一種のデータベースを生成する
マスターユニット１２の制御部３０は、定期的に、予め設定された第２の時間間隔が終了すると、通信モジュール３４を介して、リモート処理ユニット１５に全てのこれら測定値を含む１以上のメッセージを送信する。当該メッセージはＨＴＴＰプロトコールまたは１以上のＳＭＳもしくはｅ−ｍａｉｌメッセージの形態で送信され得る。
【００５０】
リモート処理ユニット１５は、車両の操作者が、いくつかの車両のタイヤの状況を監視できるように、および、車両２１のいかなるメンテナンス介在、または運転者もしくは持ち主への電話通知を決定するために、受信した測定値の適切な分析を行う。
【００５１】
好ましくは、マスターユニット１２の処理部３１は、制御部３０に格納される、少なくとも１つのしきい値またはしきい値の間隔を用いて、各タイヤについて、マスターユニット１２から受信した測定値と、任意のスレイブユニット１１によって送信された測定値とをリアルタイムで比較するように構成される。あるＴＰＭＳ送信器の識別子に対応する圧力測定値がこれらしきい値の範囲外である場合、マスターユニット１２の制御部３０は、第２の時間間隔の終了を待つことなく即座に、対応するタイヤのＴＰＭＳ送信器の識別子を含むアラームメッセージを通信モジュール３４によってリモート処理ユニット１５に送信する。
【００５２】
この方法によれば、車両操作者は、しきい値圧力の範囲外のタイヤまたは車両運転者への警告を有する車両のメンテナンス介在を予定または注文できる。
【００５３】
実際に、本発明に従う装置およびアセンブリが意図した目的を完全に達成することが分かった。なぜならば、それらは無線信号によって、運搬車両のタイヤに関連するパラメータ（特に、圧力）を測定し、消費電力を著しく低く維持するためである。それらは、特に、非充電式の電池によって電力を供給する場合に有用である。
【００５４】
本発明に従う装置は、特に、輸送中の重い車両のタイヤの圧力を検出すると考えられるが、この装置は、２輪車を含むあらゆる種類の車両のタイヤに関連する、あらゆるパラメータを検出するというより一般的なあらゆる場合に使用され得る。
【００５５】
このように考えられた装置は、本発明の概念の範囲内にある全てが、多数の変更および変形の影響を受け得る。すなわち、当該装置の全ての詳細は、さらに他の技術的に等価な要素と置き換え得る。
【００５６】
実際には、使用される材料、並びに寸法は、要件および技術水準に応じていずれであってもよい。
【図１】
0006357224.tif 000002
【図２】
0006357224.tif 000003
【図３】
0006357224.tif 000004
【図４】
0006357224.tif 000005